(57)【要約】【課題】扉体を備えたテレビ台において、この扉体を開くときのこの扉体の自由端と前記前面との間の距離を過大なものとしないようにする。【解決手段】扉体Ｄは、その自由端部７側に閉じ位置において本体Ｂに備えられた係止部５に係止される被係止部８を有し、自由端部７に対向する端部９側にその開閉動作を制御する第一軸部１１を有し、この第一軸部１１と被係止部８との間にその開閉動作を制御する第二軸部１０を有している。本体Ｂの内部に、左右方向に続く第一溝部６ａと、この第一溝部６ａの一端６ｂから本体Ｂの奥に続く第二溝部６ｄとを備えてなるガイド部６が形成されている。扉体Ｄの閉じ位置において、第二軸部１０がガイド部６における第一溝部６ａ内に位置され、かつ、第一軸部１１が第一溝部６ａと第二溝部６ｄとの連通箇所内に位置されるようになっている。【選択図】図１
2012186767.tif 000002
【特許請求の範囲】
【請求項１】
天板部と底板部と左右側板部とを有し前面を開放させた本体と、この前面を塞ぐ扉体とを備えたテレビ台であって、
扉体は、その自由端部側に閉じ位置において本体に備えられた係止部に係止される被係止部を有し、
前記自由端部に対向する端部側にその開閉動作を制御する第一軸部を有し、
この第一軸部と被係止部との間にその開閉動作を制御する第二軸部を有しており、
本体の内部に、左右方向又は上下方向に続く第一溝部と、この第一溝部の一端から本体の奥に続く第二溝部とを備えてなるガイド部が形成されており、
扉体の閉じ位置において、第二軸部がガイド部における第一溝部内に位置され、かつ、第一軸部が第一溝部と第二溝部との連通箇所内に位置されるようになっていることを特徴とするテレビ台。
【発明の詳細な説明】
【技術分野】
【０００１】
この発明はテレビ台の改良に関する。
【背景技術】
【０００２】
扉板によって塞がれる開放された前面を備えたテレビ台にあっては、この扉板を開くときのこの扉板の自由端とテレビ台の前面との間の距離はこの扉板を開くに連れて大きくなる。特に、テレビ台は、近年のテレビの大画面化により、その寸法を大きくする傾向にあり、垂直軸を中心に片開きあるいは両開きされる扉板を備えたテレビ台にあっては、その寸法が大きくなると扉板の寸法も大きくなることから、これを開くときの扉板の自由端とテレビ台の前面との間の距離、及び、扉板を開ききった位置でのテレビ台からの扉板の突きだし寸法は、著しく  過大となる。
【発明の概要】
【発明が解決しようとする課題】
【０００３】
この発明が解決しようとする主たる問題点は、開放された前面を塞ぐ扉板を備えたテレビ台において、この扉体を開くときのこの扉体の自由端と前記前面との間の距離を過大なものとしないようにする点にある。
【課題を解決するための手段】
【０００４】
前記課題を達成するために、この発明にあっては、テレビ台を、天板部と底板部と左右側板部とを有し前面を開放させた本体と、この前面を塞ぐ扉体とを備えたテレビ台であって、
扉体は、その自由端部側に閉じ位置において本体に備えられた係止部に係止される被係止部を有し、
前記自由端部に対向する端部側にその開閉動作を制御する第一軸部を有し、
この第一軸部と被係止部との間にその開閉動作を制御する第二軸部を有しており、
本体の内部に、左右方向又は上下方向に続く第一溝部と、この第一溝部の一端から本体の奥に続く第二溝部とを備えてなるガイド部が形成されており、
扉体の閉じ位置において、第二軸部がガイド部における第一溝部内に位置され、かつ、第一軸部が第一溝部と第二溝部との連通箇所内に位置されるようになっているものとした。
【０００５】
閉じ位置にある扉板は、被係止部を係止部に係止させ、かつ、第二軸部をガイド部の第一溝部に納めることでこの閉じ位置に安定的に位置づけられる。前記係止を解いて扉板を開き位置に向けて回動操作すると扉板は第二軸部を中心に第一軸部をガイド部の第二溝部に入り込ませる向きに回動され、この回動量が増えるに従って第二軸部は第一溝部の一端に近づき、第一軸部は第二溝部の奥端に近づく向きに移動される。これによって、本体の前面と扉体の自由端部との間の距離が扉体が開かれるときに過大とならないようにすることができる。
【発明の効果】
【０００６】
この発明にかかるテレビ台にあっては、開放された前面を塞ぐ扉板を開くときのこの扉体の自由端と前記前面との間の距離をできるだけ小さくすることができる。
【図面の簡単な説明】
【０００７】
【図１】図１は実施の形態にかかるテレビ台（第一例）の斜視構成図である。
【図２】図２は第一例の右側の扉板と本体の底板部の一部とを分離して表した斜視構成図である。
【図３】図３は第一例の本体の天板部を破断した状態で示した平面構成図であり、扉板は閉じ位置にある。
【図４】図４は図３の状態から扉板を開き位置に向けて移動させる途中の状態を示した第一例の平面構成図である。
【図５】図５は扉板が開き位置にある状態の第一例の平面構成図である。
【図６】図６は扉板を閉じ位置から上側に開かれる扉板としたテレビ台（第二例）の分解斜視構成図である。
【図７】図７は第二例の縦断面構成図であり、扉板は閉じ位置にある。
【発明を実施するための形態】
【０００８】
以下、図１〜図７に基づいて、この発明の典型的な実施の形態について、説明する。この実施の形態にかかるテレビ台は、その本体Ｂの開放された前面を塞ぐ扉体Ｄを備えたものである。かかる扉体Ｄは、本体Ｂの前記前面を完全に閉塞させた閉じ位置とこの前面をもっとも広く開放させた開き位置との間に亘った移動可能に本体Ｂに組み合わされている。そして、この実施の形態にかかるテレビ台にあっては、本体Ｂの前面と扉体Ｄの自由端部７との間の距離を、扉体Ｄが前記開き位置に近づけば近づくほど大きくさせないように、あるいは、設定によってはかかる開き位置において扉体Ｄの自由端部７を本体Ｂの前面と略同じ位置に位置させることができるように、なっている。
【０００９】
本体Ｂは、天板部１と底板部２と左右の側板部３、３とを有し前面を開放させている。図示の例では本体Ｂの背面は開放されているが背板により閉塞されていても構わない。図示の例では、天板部１と底板部２は左右方向に長く前後方向に短く長方形状をなしている。また、図示の例では、天板部１と底板部２とは平行をなし、側板部３、３はこれらに直角をなしている。側板部３、３は上下寸法を前後寸法よりも小さくしている。これにより、本体Ｂは、左右方向に長く上下方向に短い、前面開放部４を有している。
【００１０】
扉体Ｄは、板状をなし、閉じ位置において、前記前面開放部４を塞ぐように構成される。図示の例では、扉体Ｄは、閉じ位置において側板部３、３に直交するように位置づけられて、前記前面開放部４を塞ぐようになっている。
【００１１】
図１〜図５に示される第一例では、左右の扉体Ｄ、Ｄによって、本体Ｂの前面開放部４を塞ぐようになっている。（図３）すなわち、この第一例に示されるテレビ台は、観音開きの扉体Ｄを備えている。開き位置においては、左側の扉体Ｄはその一部を左側の側板部３の内面に添わせてこれと平行をなし、右側の扉体Ｄはその一部を右側の側板部３の内面に添わせてこれと平行をなす。（図４）この第一例では、左右の扉体Ｄ、Ｄはそれぞれ、前面開放部４を左右に二分した面積と略等しい面積を備えている。図示は省略するが、閉じ位置から右側又は左側に開かれる一枚の扉体Ｄによりかかる前面開放部４を塞ぐようにしても構わない。（片開き）
【００１２】
一方、図６及び図７に示される第二例では、閉じ位置から上側に開かれる一枚の扉体Ｄにより本体Ｂの前面開放部４を塞ぐようになっている。開き位置においては、扉体Ｄはその一部を天板部１の下面に添わせてこれと平行をなす。
【００１３】
かかる扉体Ｄは、第一に、その自由端部７側に閉じ位置において本体Ｂに備えられた係止部５に係止される被係止部８を有し、第二に、前記自由端部７に対向する端部９側にその開閉動作を制御する第一軸部１１を有し、第三に、この第一軸部１１と被係止部８との間にその開閉動作を制御する第二軸部１０を有している。
【００１４】
前記第一例では、第一軸部１１及び第二軸部１０は、扉体Ｄの上辺１２と下辺１３とにそれぞれ備えられている。扉体Ｄの上辺１２に備えられる第一軸部１１及び第二軸部１０はこの上辺１２から上方に突き出し、扉体Ｄの下辺１３に備えられる第一軸部１１及び第二軸部１０はこの下辺１３から下方に突き出している。また、扉体Ｄの上辺１２に備えられる第一軸部１１と扉体Ｄの下辺１３に備えられる第一軸部１１とは仮想の一つの垂直線上にその軸中心線を位置させ、扉体Ｄの上辺１２に備えられる第二軸部１０と扉体Ｄの下辺１３に備えられる第二軸部１０とは仮想の他の一つの垂直線上にその軸中心線を位置させるようになっている。
【００１５】
一方、前記第二例では、第一軸部１１及び第二軸部１０は、扉体Ｄの左辺１４と右辺１５とにそれぞれ備えられている。扉体Ｄの左辺１４に備えられる第一軸部１１及び第二軸部１０はこの左辺１４から側方に突き出し、扉体Ｄの右辺１５に備えられる第一軸部１１及び第二軸部１０はこの右辺１５から側方に突き出している。また、扉体Ｄの左辺１４に備えられる第一軸部１１と扉体Ｄの右辺１５に備えられる第一軸部１１とは仮想の一つの水平線上にその軸中心線を位置させ、扉体Ｄの左辺１４に備えられる第二軸部１０と扉体Ｄの右辺１５に備えられる第二軸部１０とは仮想の他の一つの水平線上にその軸中心線を位置させるようになっている。
【００１６】
図示の例では、扉体Ｄを構成する板体１６（図示の例ではガラス板）の縁部を内側に納めてこの縁部に取り付けられる幅方向断面をコ字状とするチャンネル材１７の背部１７ａの外側に、この背部１７ａに直交する向きに突き出す円柱状の突起をこのチャンネル材１７の長さ方向に間隔を開けて二箇所に設け、この二箇所の突起によって前記第一軸部１１と第二軸部１０とを構成させるようにしている。
【００１７】
また、前記第一例では、被係止部８は、扉体Ｄの自由端部７の上隅において前記板体１６に取り付けられた強磁性材料から構成された吸着プレートによって構成されている。これに対する係止部５は、本体Ｂの前面開放部４の左右方向中程の位置において天板部１の内側に備えられて扉体Ｄの閉じ位置において前記吸着プレートを磁気吸着するマグネットキャッチによって構成されている。かかる係止部５は図示の構成のものに限られるものではなく、公知の各種のドアキャッチやドアラッチなどを利用することができる。
【００１８】
また、前記第二例では、被係止部８は、扉体Ｄの自由端部７の左右方向中程の位置において前記板体１６に取り付けられた強磁性材料から構成された吸着プレートによって構成されている。これに対する係止部５は、本体Ｂの前面開放部４の左右方向中程の位置において底板部２の内側に備えられて扉体Ｄの閉じ位置において前記吸着プレートを磁気吸着するマグネットキャッチによって構成されている。
【００１９】
そして、この実施の形態にあっては、かかる扉体Ｄの第一軸部１１及び第二軸部１０を、本体Ｂの内部に形成されたガイド部６に納めることで、扉体Ｄと本体Ｂとを組み合わせている。
【００２０】
かかるガイド部６は、左右方向又は上下方向に続く第一溝部６ａと、この第一溝部６ａの一端６ｂに連通してこの一端６ｂから本体Ｂの奥（背面側）に続く第二溝部６ｄとを備えてなる。そして、前記扉体Ｄの閉じ位置において、第二軸部１０がガイド部６における第一溝部６ａ内に位置され、かつ、第一軸部１１が第一溝部６ａと第二溝部６ｄとの連通箇所内に位置されるようになっている。
【００２１】
前記第一例では、ガイド部６は、本体Ｂの天板部１及び底板部２の内面に形成されている。この第一例では、本体Ｂの左側に左側の扉体Ｄに対するガイド部６が形成されていると共に、本体Ｂの右側に右側の扉体Ｄに対するガイド部６が形成されている。扉体Ｄの上辺１２に備えられる第一軸部１１及び第二軸部１０が天板部１のガイド部６に納められ、扉体Ｄの下辺１３に備えられる第一軸部１１及び第二軸部１０が底板部２のガイド部６に納められている。第一溝部６ａは本体Ｂの前面開放部４の開放縁部に形成され左右方向に延びている。この第一溝部６ａの前記一端６ｂ、具体的には、左側の第一溝部６ａの左端は左側の側板部３と底板部２とが接し合う箇所近傍に位置し、また、右側の第一溝部６ａの右端は右側の側板部３と底板部２とが接し合う箇所近傍に位置している。また、左側の第二溝部６ｄは左側の側板部３に略平行をなすように後方に延び、右側の第二溝部６ｄは右側の側板部３に略平行をなすように後方に延びている。左右の第二溝部６ｄの長さは、第一軸部１１と第二軸部１０との間の距離より長く、かつ、扉体Ｄの自由端部７とこれに対向する端部９との間の距離（扉体Ｄの横寸法）よりも小さくなっている。第一溝部６ａ及び第二溝部６ｄの溝幅は第一軸部１１及び第二軸部１０をガタ少なく納めるように設定される。また、第一溝部６ａと第二溝部６ｄとがなす角度は、図示の例では両者の連通箇所に形成される隅部の内側において略９０度となっているが、この角度はテレビ台の形状などに応じて、適宜選択される。
【００２２】
閉じ位置にある扉体Ｄは、被係止部８を係止部５に係止させ、かつ、第二軸部１０をガイド部６の第一溝部６ａに納めることでこの閉じ位置に安定的に位置づけられる。前記係止を解いて扉体Ｄを開き位置に向けて回動操作すると扉体Ｄは第二軸部１０を中心に第一軸部１１をガイド部６の第二溝部６ｄに入り込ませる向きに回動され、この回動量が増えるに従って第二軸部１０は第一溝部６ａの一端６ｂに近づき、第一軸部１１は第二溝部６ｄの奥端に近づく向きに移動される。これによって、本体Ｂの前面と扉体Ｄの自由端部７との間の距離を、扉体Ｄが前記開き位置に近づけば近づくほど、大きくなることがないようにしている。
【００２３】
図示の例では、第二軸部１０が第一溝部６ａの一端６ｂに位置された位置から、第二溝部６ｄに沿って奥方に扉体Ｄをスライド移動させることができるようになっており、前記開き位置における扉体Ｄの自由端部７と本体Ｂの前面との間の距離を一層小さくできるようになっている。（図５）かかる第二溝部６ｄの全長をより長くすれば、前記開き位置から扉体Ｄを奥方にスライド移動させきることで扉体Ｄの自由端部７と本体Ｂの前面とを略同じ位置に位置させることができる。
【００２４】
図５に示される状態から扉体Ｄを閉じ位置に向けて移動させると、第二軸部１０が第一溝部６ａの一端６ｂに至るまでは扉体Ｄは本体Ｂ内から前方にスライド移動され、第二軸部１０が第一溝部６ａの一端６ｂに至った後は第二軸部１０を第一溝部６ａの溝他端６ｃ側に徐々に移動させながらこの第二軸部１０を中心として回動され、これに伴って第一軸部１１は徐々に前方に移動し、扉体Ｄは前記閉じ位置に復帰される。（図３）
【００２５】
前記第二例では、ガイド部６は、本体Ｂの左右の側板部３、３の内面にそれぞれ形成されている。扉体Ｄの左辺１４に備えられる第一軸部１１及び第二軸部１０が左側の側板部３のガイド部６に納められ、扉体Ｄの右辺１５に備えられる第一軸部１１及び第二軸部１０が右側の側板部３のガイド部６に納められるようになっている。第一溝部６ａは本体Ｂの前面開放部４の開放縁部に形成され上下方向に延びている。この第一溝部６ａの前記一端は側板部３と天板部１とが接し合う箇所近傍に位置している。また、第二溝部６ｄは天板部１に略平行をなすように後方に延びている。この第二例においても、第二溝部６ｄの長さは、第一軸部１１と第二軸部１０との間の距離より長く、かつ、扉体Ｄの自由端部７とこれに対向する端部９との間の距離（扉体Ｄの上下寸法）よりも小さくなっている。
【符号の説明】
【００２６】
Ｂ  本体
Ｄ  扉体
５  係止部
６  ガイド部
６ａ  第一溝部
６ｂ  一端
６ｄ  第二溝部
７  自由端部
８  被係止部
９  端部
１０  第一軸部
１１  第二軸部
【図１】
2012186767.tif 000003
【図２】
2012186767.tif 000004
【図３】
2012186767.tif 000005
【図４】
2012186767.tif 000006
【図５】
2012186767.tif 000007
【図６】
2012186767.tif 000008
【図７】
2012186767.tif 000009